(57)【要約】【課題】可動体の伸縮動作及び回動動作を単一の駆動源で行う可動役物装置を、簡単な構成とすることが可能となる、パチンコ遊技機を提供する。【解決手段】上側可動体５０の略伸縮方向に延びる案内部３７ａと、案内部３７ａと接続されて第二可動部材５２の伝動ピン５６の変位を許容する許容部３７ｂと、を有するガイド孔３７を設け、ガイド孔３７と交差する長孔６７を設けた移動部材６０を平行移動可能に配置し、第一可動部材５１の連通孔５５に挿通する第二可動部材５２の伝動ピン５６をガイド孔３７及び移動部材６０の長孔６７の双方に通し、移動部材６０を変位させることで、伝動ピン５６をガイド孔３７の案内部３７ａで案内して、第二可動部材５２を第一可動部材５１に対してスライド変位させると共に、第一可動部材５１の突起部５４と当接して第一可動部材５１を押圧して、第一可動部材５１及び第二可動部材５２を基板３１に対して一体的に回動させる。【選択図】図６
2015057222.tif 000002
【特許請求の範囲】
【請求項１】
可動体と、該可動体の遊技者側と反対側に設けられ、遊技者側から見て重ねて配置された基板及び移動部材と、を備えた可動役物装置を有し、前記可動体を伸縮させると共に前記可動体を前記基板に対して相対的に回動させる、パチンコ遊技機であって、
前記可動体は、前記基板に回動可能に支持される第一可動部材と、遊技者側と反対側に突出する第一突起部が設けられて、該第一突起部が前記可動体の伸縮方向に沿って変位することにより前記伸縮方向にスライド変位可能に前記第一可動部材に支持される第二可動部材と、を備え、
前記基板には、前記可動体の略伸縮方向に延びる案内部と、該案内部と接続されて前記第二可動部材における第一突起部の前記可動体の回動方向への変位を許容する許容部と、を有するガイド孔が設けられ、
前記移動部材は、前記基板に対して平行となる方向に変位可能であって第一位置から第二位置に向けて移動すると共に該移動方向と交差する方向に延びる長孔を備え、
前記移動部材の長孔が遊技者側から見て前記基板のガイド孔と交差するように設けられると共に、前記第二可動部材の第一突起部が前記基板のガイド孔及び前記移動部材の長孔に挿通され、かつ、前記可動体の第一可動部材には、前記移動部材の前記第一位置から前記第二位置までの移動経路上に位置して遊技者側と反対側に突出する第二突起部が設けられ、
前記移動部材が前記第一位置から前記第二位置に変位することにより、
前記第二可動部材の第一突起部が前記ガイド孔の案内部で案内されて、前記第二可動部材が前記第一可動部材に対して前記伸縮方向にスライド変位し、
前記移動部材が前記第一可動部材の第二突起部に当接して該第一可動部材を押圧し、前記第一可動部材及び第二可動部材が前記基板に対して一体的に回動する、
ことを特徴とする、パチンコ遊技機。
【発明の詳細な説明】
【技術分野】
【０００１】
本発明は、パチンコ遊技機の技術に関し、具体的には可動役物装置を備えたパチンコ遊技機に関する。
【背景技術】
【０００２】
従来、パチンコ遊技機では、可動体の伸縮動作及び回動動作を単一の駆動源で行う可動役物装置に関する技術が知られている（例えば、特許文献１を参照）。このような構成においては、可動体を伸縮させ、回動させることにより、可動役物装置が複雑に動作している演出を遊技者に対して見せることができる。
【先行技術文献】
【特許文献】
【０００３】
【特許文献１】特開２０１０−２８４４２７号公報
【発明の概要】
【発明が解決しようとする課題】
【０００４】
特許文献１によれば、第１の揺動部材と第２の揺動部材とを重ねて配設し、それぞれの揺動部材を個別に規制しながら揺動させることにより、役物部の回転動作とスライド動作を行う構成としている。
しかしながら、前記特許文献に記載の技術によれば、それぞれの揺動部材の揺動を規制する機構や、付勢部材、ピニオン等が必要となり、可動役物装置の全体的な機構が複雑となっていた。
【０００５】
本発明は、上記のような問題点に鑑みてなされたものであり、可動体の伸縮動作及び回動動作を単一の駆動源で行う可動役物装置を、簡単な構成とすることが可能となる、パチンコ遊技機を提供するものである。
【課題を解決するための手段】
【０００６】
本発明の解決しようとする課題は以上の如くであり、次にこの課題を解決するための手段を説明する。
【０００７】
即ち、請求項１においては、可動体と、該可動体の遊技者側と反対側に設けられ、遊技者側から見て重ねて配置された基板及び移動部材と、を備えた可動役物装置を有し、前記可動体を伸縮させると共に前記可動体を前記基板に対して相対的に回動させる、パチンコ遊技機であって、前記可動体は、前記基板に回動可能に支持される第一可動部材と、遊技者側と反対側に突出する第一突起部が設けられて、該第一突起部が前記可動体の伸縮方向に沿って変位することにより前記伸縮方向にスライド変位可能に前記第一可動部材に支持される第二可動部材と、を備え、前記基板には、前記可動体の略伸縮方向に延びる案内部と、該案内部と接続されて前記第二可動部材における第一突起部の前記可動体の回動方向への変位を許容する許容部と、を有するガイド孔が設けられ、前記移動部材は、前記基板に対して平行となる方向に変位可能であって第一位置から第二位置に向けて移動すると共に該移動方向と交差する方向に延びる長孔を備え、前記移動部材の長孔が遊技者側から見て前記基板のガイド孔と交差するように設けられると共に、前記第二可動部材の第一突起部が前記基板のガイド孔及び前記移動部材の長孔に挿通され、かつ、前記可動体の第一可動部材には、前記移動部材の前記第一位置から前記第二位置までの移動経路上に位置して遊技者側と反対側に突出する第二突起部が設けられ、前記移動部材が前記第一位置から前記第二位置に変位することにより、前記第二可動部材の第一突起部が前記ガイド孔の案内部で案内されて、前記第二可動部材が前記第一可動部材に対して前記伸縮方向にスライド変位し、前記移動部材が前記第一可動部材の第二突起部に当接して該第一可動部材を押圧し、前記第一可動部材及び第二可動部材が前記基板に対して一体的に回動するものである。
【発明の効果】
【０００８】
本発明により、パチンコ遊技機において、可動体の伸縮動作及び回動動作を単一の駆動源で行う可動役物装置を、簡単な構成とすることが可能となる。
【図面の簡単な説明】
【０００９】
【図１】本発明の一実施形態に係るパチンコ遊技機の全体的な構成を示した正面図。
【図２】同じく、パチンコ遊技機の窓枠が開放された状態の構成を示した正面斜視図。
【図３】可動役物装置（縮小状態）が配置された遊技盤の構成を示した正面図。
【図４】可動役物装置（伸長状態）が配置された遊技盤の構成を示した正面図。
【図５】可動役物装置（回転状態）が配置された遊技盤の構成を示した正面図。
【図６】（ａ）から（ｃ）はそれぞれ縮小状態、伸長状態、及び回転状態の可動役物装置を示した正面図。
【図７】（ａ１）及び（ａ２）はそれぞれ下側可動体の正面図及び背面図、（ｂ）は図７（ａ１）におけるＸ−Ｘ線断面図。
【図８】（ａ）は可動役物装置における基板を示した背面図、（ｂ）は可動役物装置の背面図。
【図９】（ａ１）及び（ａ２）、（ｂ１）及び（ｂ２）、（ｃ１）及び（ｃ２）はそれぞれ縮小状態、伸長状態、及び回転状態における下側可動体の正面図及び背面図。
【図１０】（ａ１）及び（ａ２）はそれぞれ上側可動体の正面図及び背面図、（ｂ）は図８（ａ１）におけるＹ−Ｙ線断面図。
【図１１】（ａ１）及び（ａ２）、（ｂ１）及び（ｂ２）、（ｃ１）及び（ｃ２）はそれぞれ縮小状態、伸長状態、及び回転状態における上側可動体の正面図及び背面図。
【図１２】（ａ１）及び（ａ２）はそれぞれ別実施形態に係る下側可動体の正面図及び背面図、（ｂ）は図１２（ａ１）におけるＺ１−Ｚ１線断面図、（ｃ）は図１２（ａ１）におけるＺ２−Ｚ２線断面図。
【発明を実施するための形態】
【００１０】
まず、本発明に係るパチンコ遊技機の第一実施形態である遊技機１の全体的な構成について、図１及び図２を用いて説明する。
なお、以下の説明では、遊技機１を遊技者側から見て、手前側を遊技機１の前側とし、奥側を遊技機１の後側として、前後方向を規定する。また、遊技機１を遊技者側から見て、左手側を遊技機１の左側とし、右手側を遊技機１の右側として、左右方向を規定する。
【００１１】
遊技機１は、図１及び図２が示すように、主として、外枠２と、中枠３と、窓枠４と、により構成される枠体に、各種の遊技部品が取り付けられて形成される。
【００１２】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１３】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００１４】
遊技盤５は、略平板状に形成される部材である遊技板を備える。遊技盤５は、中枠３の下側を除く略全面に渡って、中枠３に着脱自在に取り付けられる。遊技盤５の前側の表面には、遊技球が転動する領域である遊技領域１９が形成される（図３から図５を参照）。また、遊技盤５における遊技領域１９の部分には、遊技球を不規則に転動させるために図示しない多数の遊技釘が遊技板に打ち込まれている。
【００１５】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００１６】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００１７】
次に、遊技盤５の構成について、図３から図５を用いてさらに詳細に説明する。
【００１８】
遊技盤５には、遊技部品としてガイドレール１０、図柄表示装置１１、図柄表示開口部１２、一般入賞口１３、大入賞装置１４、可変入賞装置１５、アウト口１６、可動役物装置３０などが設けられている。
【００１９】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２０】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２１】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２２】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００２３】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００２４】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００２５】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００２６】
可動役物装置３０は、遊技領域１９等を構成する遊技板の背後に、略門型に配置される。本実施形態において可動役物装置３０は可動体を上下左右に四個備えており、下側の左右に配置される可動体を下側可動体４０・４０、上側の左右に配置される可動体を上側可動体５０・５０としている。本明細書においては、左右一対の可動体は互いに同じ構成であるため、それぞれ左側に配置される下側可動体４０と上側可動体５０とを中心に説明をする。
【００２７】
下側可動体４０・４０及び上側可動体５０・５０は、図３から図５に示す如く、図柄表示開口部１２の内側で、図柄表示装置１１における液晶画面２０の前方に進退可能に配置されて、大当たり時やイベント開始時において適宜可動する可動体である。具体的には、下側可動体４０・４０及び上側可動体５０・５０は可動役物装置３０を構成する門型の基板３１に配設される。そして、後述するようにこの基板３１の後面に配置された駆動源７０においてモータ等に連結されたピニオン７１（図８（ｂ）を参照）を駆動させる。これにより、下側可動体４０・４０及び上側可動体５０・５０が、図３に示す如く外側（図柄表示開口部１２の外側）で縮小した縮小状態から、図４に示す如く内側（図柄表示開口部１２の内側）に伸長した伸長状態、さらに図５に示す如く液晶画面２０の前方で回転する回転状態へと変化するのである。このように、遊技機１は可動役物装置３０により遊技者に視覚的な印象（インパクト）を与え、その遊技者の興趣を高めるように構成されている。
【００２８】
次に、可動役物装置３０のうち、左側の下側可動体４０を駆動させる構成について、図６から図９を用いて説明する。なお、右側の下側可動体４０の周辺における構成は左側と略同一であるため、その説明は省略する。
【００２９】
可動役物装置３０は図６及び図８に示す如く、ガイド孔３２が設けられた基板３１と、基板３１の前方（遊技者側）に配置される下側可動体４０と、基板３１の後方（遊技者側と反対側）に配置されて下側可動体４０を駆動させる駆動手段と、を備える。そして、図６（ａ）及び（ｂ）に示す如く、下側可動体４０を伸縮させて縮小状態と伸長状態との間で形態を変化させる。また、図６（ｂ）及び（ｃ）に示す如く、下側可動体４０を基板３１に対して相対的に回動させて伸長状態と回転状態との間で形態を変化させるのである。
【００３０】
下側可動体４０は図６及び図７に示す如く、第一可動部材４１と第二可動部材４２とを備えて構成される。図７（ａ１）は左側の下側可動体４０の正面図、図７（ａ２）は左側の下側可動体４０の背面図、図７（ｂ）は図７（ａ１）におけるＸ−Ｘ線断面図である。
【００３１】
第一可動部材４１は、その内部に第二可動部材４２を左右にスライド可能に収容した中空部材である。そして、第一可動部材４１の後面における内側（図７（ａ１）における右側）端部には、後方に突起する回動支軸４３が、基板３１に設けられた孔３３（図８（ａ）を参照）に挿入可能に形成されている。第一可動部材４１はこの回動支軸４３が孔３３に挿入されることにより、回動支軸４３を支点として基板３１に回動可能に支持されるのである。
【００３２】
第一可動部材４１の後面における内側（図７（ａ１）における右側）上端部には、後方に突起する係合突起４４が形成されている。係合突起４４は後述するように、左側移動部材６０Ｌに形成された係合孔６４と係合することにより、第一可動部材４１に対して回転力を付与するためのものである。
【００３３】
第一可動部材４１の後面における上下方向中途部には、左右方向に向かって延びる連通孔４５が形成されている。連通孔４５には後述するように、第二可動部材４２に形成された伝動ピン（突起部）４６が挿通される。
【００３４】
第二可動部材４２は、第一可動部材４１の内部で左右の長手方向にスライド可能に収容されることにより、第一可動部材４１に支持された板状部材である。また、第二可動部材４２の後面における外側（図７（ａ１）における左側）端部には、第一可動部材４１に形成された連通孔４５を通って、遊技者側と反対側である後方に突出する伝動ピン４６が設けられる。そして、伝動ピン４６が下側可動体４０の伸縮方向（本実施形態においては略左右方向）に沿って変位することにより、第二可動部材４２が第一可動部材４１に対して相対変位が可能となるように構成されている。換言すれば、第二可動部材４２の伝動ピン４６に対して左右方向に力を与えると、基板３１に支持された第一可動部材４１に対して第二可動部材４２が、下側可動体４０の伸縮方向である左右方向にスライド変位し、図７（ａ１）及び（ａ２）中の二点鎖線に示す如く下側可動体４０が左右に伸縮するのである。
【００３５】
下側可動体４０の前面には、図６に示す如く三個の装飾部材４９・４９・４９が配置される。それぞれの装飾部材４９・４９・４９は相互に回動自在に連結されている。また、左側の装飾部材４９の左端部は、第一可動部材４１の前面左端部に回動可能に連結されている。また、右側の装飾部材４９の右端部は、第二可動部材４２の前面右端部に回動可能に連結されている。このように構成することで、第二可動部材４２が第一可動部材４１に対してスライドして相対変位すると、装飾部材４９・４９・４９は図６に示す如く、下側可動体４０の伸縮に伴って伸縮するのである。なお、図７以降においては装飾部材４９・４９・４９の図示は省略している。
【００３６】
下側可動体４０・４０を駆動させる駆動手段は、図８（ｂ）に示す如く、基板３１における左右両側に配置された移動部材（左側移動部材６０Ｌ及び右側移動部材６０Ｒ）と、基板３１の後面における上側中央部に配置されて移動部材６０Ｌ・６０Ｒを変位させる駆動源７０と、で構成される。
【００３７】
左側移動部材６０Ｌは、基板３１に対して平行となる方向（本実施形態においては左右方向）に変位可能に配置される板状部材である（以下、特に記載がなければ右側移動部材６０Ｒも左右が反転した略同一の構成とする）。具体的には、左側移動部材６０Ｌの上下方向略中途部には、左右方向に向かって延びる案内孔６６が形成されている。また、基板３１の案内孔６６に対応する部分には、後方に突出する案内突起３５が形成されている。左側移動部材６０Ｌは、案内孔６６に案内突起３５が挿通されることにより、図８（ｂ）中の矢印ｃに示す如く、左右方向に変位可能に構成されるのである。
【００３８】
左側移動部材６０Ｌには、その変位方向である左右方向と交差する方向（本実施形態においては上下方向）に延びる長孔６２が、遊技者側から見て基板３１のガイド孔３２と交差するように設けられている。そして、後述するようにこの長孔６２に、第二可動部材４２から突出する伝動ピン４６を挿通することにより、伝動ピン４６を変位可能とするのである。
【００３９】
また、左側移動部材６０Ｌには、左右方向に延びる係合孔６４が形成されている。そして、係合孔６４には前記の如く第一可動部材４１から後方に突起する係合突起４４が挿通されている。後述するように係合孔６４が係合突起４４と係合することで、左側移動部材６０Ｌが第一可動部材４１に対して回転力を付与するように構成されている。
【００４０】
基板３１の内周辺における上下方向中途部には、左右方向の外側に向かって矩形状に切り欠いた切欠き部３４が形成されている。一方、左側移動部材６０Ｌの係合孔６４の周囲には、前方に矩形状に突出したガイド部６３が形成されている。そして、このガイド部６３が切欠き部３４の内部で左右方向に摺動することにより、左側移動部材６０Ｌが左右方向に変位可能に構成されている（図９を参照）。
【００４１】
左側移動部材６０Ｌの上端には、右側に突出するとともに下側に向けて形成されるラック部６１Ｌが配置される。また、右側移動部材６０Ｒの上端には、左側に突出するとともに、ラック部６１Ｌと対向して上側に向けて形成されるラック部６１Ｒが配置される。そして、ラック部６１Ｌ・６１Ｒは駆動源７０におけるケース７２に収容され、その内部でそれぞれがピニオン７１と係合している。これにより、ピニオン７１が図８（ｂ）中の矢印ａの如く反時計回りに回転すると、ラック部６１Ｌ・６１Ｒはそれぞれ図８（ｂ）中の矢印ｂの如く内側に向かって、左側移動部材６０Ｌと右側移動部材６０Ｒとを引き寄せる方向に力を受ける。これにより、左側移動部材６０Ｌ及び右側移動部材６０Ｒは図８（ｂ）中の矢印ｃの如く内側に向かって変位するのである。また、ピニオン７１が時計回りに回転した場合は、左側移動部材６０Ｌ及び右側移動部材６０Ｒは外側に向かって、互いを遠ざける方向に変位するのである。
【００４２】
基板３１には、左側移動部材６０Ｌが変位した際に長孔６２が通過する部分に、ガイド孔３２が設けられている。そして、第二可動部材４２の伝動ピン４６は、左側移動部材６０Ｌまで延在して、長孔６２とガイド孔３２とが重なる部分に挿通されている。
【００４３】
ガイド孔３２は、図８（ａ）及び図９（ａ）に示す如く、下側可動体４０の伸縮方向である左右方向に延びて形成されて第二可動部材４２の伝動ピン４６を下側可動体４０の伸縮方向に案内する第一案内部３２ａと、第一案内部３２ａと連続して第二可動部材４２の伝動ピン４６を下側可動体４０の回動方向に案内する第二案内部３２ｂと、を備える。換言すれば、基板３１には、下側可動体４０の略伸縮方向である左右方向に延びる第一案内部３２ａと、第一案内部３２ａと連続して下側可動体４０の略回動方向に延びる第二案内部３２ｂと、を有するガイド孔３２が設けられているのである。
【００４４】
具体的には、第一案内部３２ａは下側可動体４０の伸縮方向に略沿った方向である左右方向に延びるように形成されている。そして、この第一案内部３２ａに挿通された伝動ピン４６が左側移動部材６０Ｌの変位によって左方向又は右方向に力を与えられ、第一案内部３２ａで案内される。これにより、図９（ｂ）中の矢印α１に示す如く、第二可動部材４２が第一可動部材４１に対して、下側可動体４０の伸縮方向である左右方向に相対的にスライド変位することで下側可動体４０が伸縮するのである。
【００４５】
一方、第二案内部３２ｂは、下側可動体４０の回動方向に略沿って形成され、具体的には、孔３３（回動支軸４３）からの方向を変化させつつ、孔３３からの距離が小さくなるように、上方斜め方向に延びるように形成されている。そして、この第二案内部３２ｂに挿通された伝動ピン４６が左側移動部材６０Ｌの変位によって力を与えられ、左側移動部材６０Ｌの長孔６２内を上方向に移動しながら第二案内部３２ｂに沿って案内される。これにより、下側可動体４０には伝動ピン４６を介して回動支軸４３を中心として回転する方向に力が加えられて、図９（ｃ）中の矢印β１に示す如く、下側可動体４０（第一可動部材４１及び第二可動部材４２）が基板３１に対して回動支軸４３を中心として一体的に回動するのである。この際に、左側移動部材６０Ｌの係合孔６４が、第一可動部材４１の係合突起４４と当接して係合することで、補助的に、第一可動部材４１が左側移動部材６０Ｌから、回動支軸４３に対して反時計回りの回転力を付与されるように構成されている。
【００４６】
本実施形態においては上記の如く構成して、ピニオン７１を図８（ｂ）中の矢印ａの如く反時計回りに回転させることにより、左側移動部材６０Ｌと右側移動部材６０Ｒとを引き寄せる方向である内側に向かって変位させる。これにより、図６（ａ）から（ｂ）に示す如く、下側可動体４０を伸長させて縮小状態から伸長状態に変化させる。そして、左側移動部材６０Ｌと右側移動部材６０Ｒとを内側に向かってさらに変位させることにより、図６（ｂ）から（ｃ）に示す如く、下側可動体４０（第一可動部材４１及び第二可動部材４２）を基板３１に対して一体的かつ相対的に回動させて伸長状態から回転状態に変化させるのである。
【００４７】
一方、ピニオン７１を反対方向である時計回りに回転させることにより、左側移動部材６０Ｌと右側移動部材６０Ｒとを互いを遠ざける方向である外側に向かってに変位させる。これにより、図６（ｃ）から（ｂ）に示す如く、下側可動体４０（第一可動部材４１及び第二可動部材４２）を基板３１に対して一体的かつ相対的に回動させて回転状態から伸長状態に変化させる。そして、左側移動部材６０Ｌと右側移動部材６０Ｒとを外側に向かってさらに変位させることにより、図６（ｂ）から（ａ）に示す如く、下側可動体４０を収縮させて伸長状態から縮小状態に変化させるのである。
【００４８】
本実施形態に係る可動役物装置３０によれば、第二可動部材４２を第一可動部材４１に対してスライド変位可能に収容し、第二可動部材４２に設けた伝動ピン４６を、第一可動部材４１に形成された連通孔４５に挿通している。また、基板３１に、下側可動体４０の略伸縮方向に延びる第一案内部３２ａと、第一案内部３２ａと連続して下側可動体４０の略回動方向に延びる第二案内部３２ｂと、を有するガイド孔３２を設けると共に、ガイド孔３２と交差する長孔６２を設けた移動部材６０を基板３１の後方に平行移動可能に配置している。さらに、第一可動部材４１の連通孔４５に挿通する第二可動部材４２の伝動ピン４６を移動部材６０まで延在させて基板３１のガイド孔３２及び移動部材６０の長孔６２の双方に通している。そして、移動部材６０を変位させることで、伝動ピン４６をガイド孔３２の第一案内部３２ａで案内して、第二可動部材４２を第一可動部材４１に対してスライド変位させると共に、伝動ピン４６をガイド孔３２の第二案内部３２ｂで案内して、第一可動部材４１及び第二可動部材４２を基板３１に対して一体的に回動させるように構成している。
【００４９】
上記の如く構成することにより、従来のパチンコ遊技機の可動役物装置のように複雑な機構を要することなく、下側可動体４０の伸縮動作及び回動動作の双方を行うことができる。つまり、下側可動体４０の伸縮動作及び回動動作を単一の駆動源で行う可動役物装置を簡単な構成で実現することが可能となるのである。
【００５０】
次に、可動役物装置３０のうち、左側の上側可動体５０を駆動させる構成について、図６、図８、図１０、及び図１１を用いて説明する。なお、右側の上側可動体５０の周辺における構成は左側と略同一であるため、その説明は省略する。
【００５１】
可動役物装置３０は図６及び図８に示す如く、ガイド孔３７が設けられた基板３１と、基板３１の遊技者側に配置される上側可動体５０と、基板３１の遊技者側と反対側に配置されて上側可動体５０を駆動させる駆動手段と、を備える。そして、図６（ａ）から（ｂ）に示す如く、上側可動体５０を伸縮させて縮小状態と伸長状態との間で形態を変化させる。また、図６（ｂ）から（ｃ）に示す如く、上側可動体５０を基板３１に対して相対的に回動させて伸長状態と回転状態との間で形態を変化させるのである。
【００５２】
上側可動体５０は図６及び図１０に示す如く、第一可動部材５１と第二可動部材５２とを備えて構成される。図１０（ａ１）は左側の上側可動体５０の正面図、図１０（ａ２）は左側の上側可動体５０の背面図、図１０（ｂ）は図１０（ａ１）におけるＹ−Ｙ線断面図である。
【００５３】
第一可動部材５１は、その内部に第二可動部材５２を左上方・右下方にスライド可能に収容した中空部材である。そして、第一可動部材５１の後面における右下側（図１０（ａ１）における右下側）端部には、後方に突起する回動支軸５３が、基板３１に設けられた孔３８（図８（ａ）を参照）に挿入可能に形成されている。第一可動部材５１はこの回動支軸５３が孔３８に挿入されることにより、回動支軸５３を支点として基板３１に回動可能に支持されるのである。
【００５４】
第一可動部材５１の後面には、図１０（ａ１）及び（ｂ）に示す如く、後方に突起して左側移動部材６０Ｌまで延在する突起部（第二突起部）５４が形成されている。突起部５４は後述するように、左側移動部材６０Ｌに形成された孔である離接部６９と当接することにより、第一可動部材５１に対して回転力を付与するためのものである。
【００５５】
第一可動部材５１の後面には、左上方向から右下方向に向かって延びる連通孔５５が形成されている。連通孔５５には後述するように、第二可動部材５２に形成された伝動ピン（第一突起部）５６が挿通される。
【００５６】
第二可動部材５２は、第一可動部材５１の内部で長手方向にスライド可能に収容されることにより、第一可動部材５１に支持された板状部材である。また、第二可動部材５２の後面における外側（図１０（ａ１）における左上側）端部には、第一可動部材５１に形成された連通孔５５を通って、遊技者側と反対側である後方に突出する伝動ピン５６が設けられる。そして、伝動ピン５６が上側可動体５０の伸縮方向（本実施形態においては左上方向及び右下方向）に沿って変位することにより、第二可動部材５２が第一可動部材５１に対して相対変位が可能となるように構成されている。換言すれば、第二可動部材５２の伝動ピン５６に対して力を与えると、基板３１に支持された第一可動部材５１に対して第二可動部材５２が、上側可動体５０の伸縮方向である左上方向及び右下方向にスライド変位し、図１０（ａ１）及び（ａ２）中の二点鎖線に示す如く上側可動体５０が伸縮するのである。
【００５７】
上側可動体５０の前面には、図６に示す如く三個の装飾部材５９・５９・５９が配置される。それぞれの装飾部材５９・５９・５９は相互に回動自在に連結されている。また、左側の装飾部材５９の左端部は、第一可動部材５１の前面左端部に回動可能に連結されている。また、右側の装飾部材５９の右端部は、第二可動部材５２の前面右端部に回動可能に連結されている。このように構成することで、第二可動部材５２が第一可動部材５１に対してスライドして相対変位すると、装飾部材５９・５９・５９は図６に示す如く、上側可動体５０の伸縮に伴って伸縮するのである。なお、図８以降においては装飾部材５９・５９・５９の図示は省略している。
【００５８】
上側可動体５０・５０を駆動させる駆動手段は、下側可動体４０・４０を駆動させる駆動手段と共通の構成としている。即ち、図８（ｂ）に示す如く、基板３１における左右両側に配置された移動部材（左側移動部材６０Ｌ及び右側移動部材６０Ｒ）と、この移動部材６０Ｌ・６０Ｒを変位させる駆動源７０と、で構成される。移動部材（左側移動部材６０Ｌ及び右側移動部材６０Ｒ）は、図１１（ａ１）・（ａ２）に示す第一位置（本実施形態において上側可動体５０・５０が縮小状態となる位置）から、図１１（ｃ１）・（ｃ２）に示す第二位置（本実施形態において上側可動体５０・５０が回転状態となる位置）まで移動するものとする。なお、上側可動体５０・５０の駆動手段と下側可動体４０・４０の駆動手段とを異なる構成とすることも可能である。
【００５９】
左側移動部材６０Ｌには、その変位方向である左右方向と交差する方向（本実施形態においては上下方向）に延びる長孔６７が遊技者側から見て基板３１のガイド孔３７と交差するように設けられている。そして、後述するようにこの長孔６７に、第二可動部材５２から突出する伝動ピン５６を挿通することにより、伝動ピン５６を変位可能とするのである。
【００６０】
また、左側移動部材６０Ｌの離接部６９の周囲には、前方に矩形状に突出したガイド部６８が形成されている。そして、このガイド部６８が後述する許容部３７ｂの内部で左右方向に摺動することにより、左側移動部材６０Ｌが左右方向に変位可能に構成されている（図１１を参照）。
【００６１】
また、左側移動部材６０Ｌには、左右方向に延びる孔である離接部６９が形成されている。そして、離接部６９には前記の如く第一可動部材５１から後方に突起する突起部５４が挿通されている。また、突起部５４は左側移動部材６０Ｌが第一位置から第二位置まで移動する移動経路上に位置して配置されている。そして、後述するように離接部６９が突起部５４と当接することで、左側移動部材６０Ｌが第一可動部材５１に対して回転力を付与するように構成されている。
【００６２】
基板３１には、左側移動部材６０Ｌが変位した際に長孔６７が通過する部分に、ガイド孔３７が設けられている。そして、第二可動部材５２の伝動ピン５６は、左側移動部材６０Ｌまで延在して、長孔６７とガイド孔３７とが重なる部分に挿通されている。
【００６３】
ガイド孔３７は、図８（ａ）及び図１１に示す如く、上側可動体５０の伸縮方向に略沿った方向である左上方向・右下方向に延びて形成されて第二可動部材５２の伝動ピン５６を上側可動体５０の伸縮方向に案内する案内部３７ａと、案内部３７ａと連続して第二可動部材５２の伝動ピン５６を規制しない許容部３７ｂと、を備える。換言すれば、基板３１には、上側可動体５０の略伸縮方向である左上方向及び右下方向に延びる案内部３７ａと、案内部３７ａと連続して第二可動部材５２の伝動ピン５６の上側可動体５０の回動方向への変位を許容する許容部３７ｂと、を有するガイド孔３７が設けられているのである。
【００６４】
具体的には、案内部３７ａは上側可動体５０の伸縮方向である左上方向及び右下方向に延びるように形成されている。そして、この案内部３７ａに挿通された伝動ピン５６が左側移動部材６０Ｌの第一位置から第二位置までの変位によって右下方向又は左上方向に力を与えられ、案内部３７ａで案内される。これにより、図１１（ｂ）中の矢印α２に示す如く、第二可動部材５２が第一可動部材５１に対して、上側可動体５０の伸縮方向である左上方向及び右下方向に相対的にスライド変位することで上側可動体５０が伸縮するのである。
【００６５】
一方、許容部３７ｂは、基板３１の内周辺における上端部に、左右方向の外側に向かって矩形状に切り欠いた切欠き部として形成されている。左側移動部材６０Ｌによって案内部３７ａを案内されてきた伝動ピン５６は、この許容部３７ｂにおいてはその変位が規制されない（許容部３７ｂは伝動ピン５６の変位を許容する）のである。
【００６６】
そして、左側移動部材６０Ｌが左端である第一位置（外側端位置）から右端である第二位置（内側端位置）に移動する過程で、離接部６９における左側内周部が、第一可動部材５１の突起部５４と当接して第一可動部材５１を押圧し、同時に伝動ピン５６が許容部３７ｂの内側を移動することで、第一可動部材５１が左側移動部材６０Ｌから、回動支軸５３に対して回転力を付与される。これにより、上側可動体５０には突起部５４を介して回動支軸５３を中心として回転する方向に力が加えられて、図１１（ｃ）中の矢印β２に示す如く、上側可動体５０（第一可動部材５１及び第二可動部材５２）が基板３１に対して回動支軸５３を中心として一体的に回動するのである。
【００６７】
本実施形態においては上記の如く構成して、ピニオン７１を図８（ｂ）中の矢印ａの如く反時計回りに回転させることにより、左側移動部材６０Ｌと右側移動部材６０Ｒとを引き寄せる方向である内側に向かって変位させる。これにより、図６（ａ）から（ｂ）に示す如く、上側可動体５０を伸長させて縮小状態から伸長状態に変化させる。そして、左側移動部材６０Ｌと右側移動部材６０Ｒとを内側に向かってさらに変位させることにより、図６（ｂ）から（ｃ）に示す如く、上側可動体５０（第一可動部材５１及び第二可動部材５２）を基板３１に対して一体的かつ相対的に回動させて伸長状態から回転状態に変化させるのである。
【００６８】
一方、ピニオン７１を反対方向である時計回りに回転させることにより、左側移動部材６０Ｌと右側移動部材６０Ｒとを互いを遠ざける方向である外側に向かってに変位させる。これにより、図６（ｃ）から（ｂ）に示す如く、上側可動体５０（第一可動部材５１及び第二可動部材５２）を基板３１に対して一体的かつ相対的に回動させて回転状態から伸長状態に変化させる。そして、左側移動部材６０Ｌと右側移動部材６０Ｒとを外側に向かってさらに変位させることにより、図６（ｂ）から（ａ）に示す如く、上側可動体４０を収縮させて伸長状態から縮小状態に変化させるのである。
【００６９】
本実施形態に係る可動役物装置３０によれば、第二可動部材５２を第一可動部材５１に対してスライド変位可能に収容し、第二可動部材５２に設けた伝動ピン５６を、第一可動部材５１に形成された連通孔５５に挿通している。また、基板３１に、上側可動体５０の略伸縮方向に延びる案内部３７ａと、案内部３７ａと接続されて第二可動部材５２の伝動ピン５６の変位を許容する許容部３７ｂと、を有するガイド孔３７を設けると共に、ガイド孔３７と交差する長孔６７を設けた移動部材６０を基板３１の後方に平行移動可能に配置している。さらに、第一可動部材５１の連通孔５５に挿通する第二可動部材５２の伝動ピン５６を移動部材６０まで延在させて基板３１のガイド孔３７及び移動部材６０の長孔６７の双方に通している。そして、移動部材６０を変位させることで、伝動ピン５６をガイド孔３７の案内部３７ａで案内して、第二可動部材５２を第一可動部材５１に対してスライド変位させると共に、移動部材６０が第一位置から第二位置に移動する過程で、第一可動部材５１の突起部５４と当接して第一可動部材５１を押圧して、第一可動部材５１及び第二可動部材５２を基板３１に対して一体的に回動させるように構成している。
【００７０】
上記の如く構成することにより、従来のパチンコ遊技機の可動役物装置のように複雑な機構を要することなく、上側可動体５０の伸縮動作及び回動動作の双方を行うことができる。つまり、上側可動体５０の伸縮動作及び回動動作を単一の駆動源で行う可動役物装置を簡単な構成で実現することが可能となるのである。
【００７１】
なお、本実施形態における下側可動体４０及び上側可動体５０は、第一可動部材４１（５１）の内部に第二可動部材４２（５２）を収容してスライド可能に構成したが、その構成は本形態に限定されるものではない。例えば、図１２に示す第二実施形態の如く、上側可動体１４０を第一可動部材１４１と第二可動部材１４２とで構成し、第一可動部材１４１に形成されたレール１４５を第二可動部材１４２が摺動してスライドする構成とすることも可能である。本実施形態においては、第二可動部材１４２の後部（レール１４５よりも後側）には係止板１４７が配置され、この係止板１４７に伝動ピン（突起部）１４６が配設されている。なお、本実施形態における回動支軸１４３、係合突起１４４、及び伝動ピン１４６は、前記実施形態の下側可動体４０における回動支軸４３、係合突起４４、及び伝動ピン４６と構成及び作用が同一であるため、その説明は省略する。
【００７２】
なお、本実施形態における下側可動体４０及び上側可動体５０は、下側可動体４０及び上側可動体５０が伸長した後に回転するように構成されているが、この順序は限定されるものではない。つまり、ガイド孔３２及びガイド孔３７の形状を変更すること等により、下側可動体４０及び上側可動体５０が回転した後に伸長する構成や、回転と伸長が交互に行われる構成とすることも可能である。
【符号の説明】
【００７３】
１  遊技機
５  遊技盤
３０  可動役物装置
３１  基板
３７  ガイド孔
５１  第一可動部材
５２  第二可動部材
５４  突起部
５６  伝動ピン
６０  移動部材
【図１】
2015057222.tif 000003
【図２】
2015057222.tif 000004
【図３】
2015057222.tif 000005
【図４】
2015057222.tif 000006
【図５】
2015057222.tif 000007
【図６】
2015057222.tif 000008
【図７】
2015057222.tif 000009
【図８】
2015057222.tif 000010
【図９】
2015057222.tif 000011
【図１０】
2015057222.tif 000012
【図１１】
2015057222.tif 000013
【図１２】
2015057222.tif 000014